(57)【要約】  本発明は電子ビジネスの取引システムに関し、発注者の端末装置により選択された電子ビジネスに対する発注情報を、該当発注者の端末装置に要請して入力し、発注情報が入力された電子ビジネスに対する入札公告をし、入札公告された電子ビジネスに対する発注情報を閲覧した入札者の端末装置により選択された電子ビジネスに対する入札情報及び電子ビジネス実行グループの構成を該当入札者の端末装置に要請して入力し、入札者の入札情報及び電子ビジネスの実行グループ構成を分析して受注者を選定し、選定された受注者と発注者との間に電子契約を締結し、締結された電子契約に関連する電子ビジネス処理のためのアプリケーション環境を実行グループメンバーの端末装置に提供して、これを利用して電子ビジネスを処理するようにすることを特徴とする。実行グループ構成により電子契約された電子ビジネスの進行をオンライン上で分散させて処理できるようにすることで、労働を電子的財貨の一つとして価値化して取り引きすることができる。
2010504587.tif 000002
【特許請求の範囲】
【請求項１】
電子ビジネスに対して定義し、定義された電子ビジネスをタイプ別または分野別に分類して各電子ビジネス別の進行手順を標準化して保存する電子ビジネス定義部と；
前記電子ビジネス定義部により定義された電子ビジネスのリストを提供し、発注者の端末装置から選択された電子ビジネスに対する発注情報を該当発注者の端末装置に要請して入力する発注情報入力部と；
前記発注情報入力部により発注情報が入力された電子ビジネスに対する入札を公告する電子ビジネスの入札公告部と；
前記電子ビジネスの入札公告部により入札公告された電子ビジネスに対する発注情報を閲覧した入札者の端末装置により選択された電子ビジネスに対する入札情報、及び電子ビジネス実行グループの構成を該当入札者の端末装置に要請して入力する入札情報入力部と；
前記入札情報入力部により入力された入札者の入札情報、及び電子ビジネスの実行グループの構成を分析して受注者を選定する受注者選定部と；
前記受注者選定部により選定された受注者と発注者との間に電子契約を締結し、電子契約書を暗号化して保存する電子契約締結部と；
前記電子契約締結部により締結された電子契約に関連する電子ビジネス処理のためのアプリケーション環境を実行グループメンバーの端末装置に提供し、これを利用して電子ビジネスを処理するようにする電子ビジネス処理部と；
前記電子契約締結部により締結された電子契約に対する決済を行う決済処理部と；を有して構成されることを特徴とする電子ビジネス取引システム。
【請求項２】
前記決済処理部は、発注者から決済された金額を受注者の仮想口座で受領し、この受領した金額を前記入札情報入力部により構成された実行グループの各メンバーの実際口座に分配して振り込むことを特徴とする請求項１に記載の電子ビジネス取引システム。
【請求項３】
前記決済処理部は、実行グループメンバーの各々に対して設定された持分比率によって差等分配して実行グループメンバーの実際口座に振り込むことを特徴とする請求項２に記載の電子ビジネス取引システム。
【請求項４】
前記電子ビジネス取引システムは、進行完了した電子ビジネスの発注者、受注者及び実行グループメンバーの各々に対する相互評価を行い、相互評価結果を該当発注者、受注者及び実行グループメンバーの各々の評価点数に反映する相互評価部をさらに有することを特徴とする請求項１乃至請求項３のいずれか一項に記載の電子ビジネス取引システム。
【請求項５】
前記電子ビジネス取引システムは、受注者の端末装置または実行グループメンバーの端末装置から最終的な電子ビジネス結果データを受信する結果データ受信部と；
前記結果データ受信部により受信された最終的な電子ビジネス結果データを検査する結果データ検査部と；をさらに有することを特徴とする請求項４に記載の電子ビジネス取引システム。
【請求項６】
前記電子ビジネス取引システムは、電子ビジネスを発注した発注者の端末装置に電子ビジネスの進行状況を報告する電子ビジネス進行報告部をさらに有することを特徴とする請求項５に記載の電子ビジネス取引システム。
【請求項７】
前記電子ビジネス取引システムは、会員情報入力のための使用者インタフェースを提供し、これを利用して会員情報を入力して会員登録処理をし、会員情報をデータベースに保存する会員管理部と；
前記データベースに保存された会員情報を参照して、電子ビジネス取引に参加する発注者、受注者及び実行グループメンバーに対する会員認証を行う会員認証部と；をさらに有することを特徴とする請求項６に記載の電子ビジネス取引システム。
【発明の詳細な説明】
【技術分野】
【０００１】
本発明は、電子ビジネスの取引システムに関するもので、より詳細には、発注者と受注者との間の電子ビジネス取引技術に関する。
【背景技術】
【０００２】
情報技術の発展に伴い各種情報のデジタル化及びネットワーク化が進み、情報化社会への移行が本格化している。このような移行により、労動市場においても新たな変化が起きることが予想されており、既に労働の形態及び慣行が、情報通信機器を活用して行うような形態に急速に変わっている。このような労働パラダイムの変化は、既存の定型固定化されたビジネス形態の制約から離れて、時間的、空間的な制約を受けることなくビジネスできるようにし、最終的には、労働を電子的財貨の１つとして価値化することによってインターネット上で電子的ビジネスとして自由に取り引きできる新しい概念の電子マーケットの構築を可能にする。
【０００３】
既存の場合は、求人者と求職者との間を仲介する電子求人求職技術が存在したが、このような電子求人求職技術は、単に求人及び求職情報に関する検索情報を提供するのみで、実際の求人／求職行為及びビジネス行為はオフライン上で行われた。一方、入札を通じて最終落札者を選定する企業と企業との間の物資調達のための電子調達技術も存在したが、この場合、入札公告、入札、落札者選定の過程まではオンライン上で行われ、実際のビジネスはオフライン上で行われた。
【０００４】
そこで、本発明者は、電子的に処理可能なビジネス（以下、電子ビジネスという）を定義し、これらの進行手順を電子ビジネス別に標準化して提供し、この標準化された電子ビジネスをオンラインを介して取り引きするが、実行グループの構成により電子契約された電子ビジネスの進行をオンライン上で分散させて処理することにより、労働を電子的財貨の１つとして価値化して取引することができる電子ビジネス取引システムに関する研究を行った。
【発明の概要】
【発明が解決しようとする課題】
【０００５】
そこで、本発明は上記従来の問題点に鑑みてなされたものであって、電子ビジネスを標準化し、標準化された電子ビジネスをオンラインを介して取引する際に、実行グループの構成により電子契約された電子ビジネスの進行をオンライン上で分散させて処理できるようにした電子ビジネスの取引システムを提供することをその目的とする。
【課題を解決するための手段】
【０００６】
上記目的を達成するためになされた本発明の一態様によれば、本発明による電子ビジネスの取引システムは、発注者の端末装置から選択された電子ビジネスに対する発注情報を、該当発注者の端末装置に要請して入力し、発注情報が入力された電子ビジネスに対する入札公告をし、入札公告された電子ビジネスに対する発注情報を閲覧した入札者の端末装置により選択された電子ビジネスに対する入札情報及び電子ビジネス実行グループの構成を該当入札者の端末装置に要請して入力し、入札者の入札情報及び電子ビジネスの実行グループ構成を分析して受注者を選定し、選定された受注者と発注者との間に電子契約を締結し、締結された電子契約に関連する電子ビジネス処理のためのアプリケーション環境を実行グループメンバーの端末装置に提供し、これを利用して電子ビジネスを処理することを特徴とする。
【発明の効果】
【０００７】
本発明による電子ビジネス取引システムは、電子ビジネスを標準化し、この標準化された電子ビジネスをオンラインを介して取り引きすることができるようにし、実行グループの構成により電子契約された電子ビジネスの進行をオンライン上で分散させて処理することにより、労働を電子的財貨の１つとして価値化して取り引きできるという効果を有する。
【図面の簡単な説明】
【０００８】
【図１】本発明による電子ビジネス取引システムの一実施例によるブロック図
【図２】発注情報を入力するための使用者インタフェースの一例を示す図
【図３】電子ビジネスの入札公告画面の一例を示す図
【図４】入札情報を入力するための使用者インタフェースの一例を示す図
【図５】電子ビジネスの実行グループを構成するための使用者インタフェースの一例を示す図
【図６】受注者選定結果を知らせる画面の一例を示す図
【図７】電子契約書を作成するための使用者インタフェースの一例を示す図
【図８】生成された電子契約書画面の一例を示す図
【図９】本発明による電子ビジネス取引システムの電子ビジネス取引のフローチャート
【発明を実施するための形態】
【０００９】
本発明による電子ビジネス取引システムは、電子ビジネスに対して定義し、定義された電子ビジネスをタイプ別または分野別に分類して各電子ビジネス別の進行手順を標準化して保存する電子ビジネス定義部と；前記電子ビジネス定義部により定義された電子ビジネスのリストを提供し、発注者の端末装置で選択された電子ビジネスに対する発注情報を該当発注者の端末装置に要請して入力する発注情報入力部と；前記発注情報入力部により発注情報が入力された電子ビジネスに対する入札を公告する電子ビジネスの入札公告部と；前記電子ビジネスの入札公告部により入札公告された電子ビジネスに対する発注情報を閲覧した入札者の端末装置で選択された電子ビジネスに対する入札情報、及び電子ビジネス実行グループの構成を該当入札者の端末装置に要請して入力する入札情報入力部と；前記入札情報入力部により入力された入札者の入札情報、及び電子ビジネスの実行グループの構成を分析して受注者を選定する受注者選定部と；前記受注者選定部により選定された受注者と発注者との間に電子契約を締結し、電子契約書を暗号化して保存する電子契約締結部と；前記電子契約締結部により締結された電子契約に関連する電子ビジネス処理のためのアプリケーション環境を実行グループメンバーの端末装置に提供し、これを利用して電子ビジネスを処理するようにする電子ビジネス処理部と；前記電子契約締結部により締結された電子契約に対する決済を行う決済処理部；とを有して構成されることを特徴とする。
【実施例】
【００１０】
以下、添付図を参照して好適な実施例に基づいて本発明を当業者が容易に理解し発明することができるように詳細に説明する。本発明を説明する前に、本発明の明細書に記載されている電子ビジネスは、電子的に処理可能なビジネス、例えば、アカウント、文書作業、プログラム開発、ウェブデザイン、翻訳など、個人用コンピュータで作業可能で、ネットワークを介して送受信可能な電子データを意味する。一方、発注者は電子ビジネスを提供する者、ビジネス管理者（以下、受注者という）は電子ビジネスを受注し、ビジネス実行者（以下、実行グループのメンバーという）を監督する者、実行グループのメンバーは電子ビジネスを実行する者、リクルーター（以下、斡旋者という）は実行グループのメンバーを推薦する者を意味する。
【００１１】
図１は、本発明による電子ビジネス取引システムの一実施例によるブロック図である。本発明による電子ビジネス取引システム１００は、電子ビジネス定義部１１０と、発注情報入力部１２０と、電子ビジネス入札公告部１３０と、入札情報入力部１４０と、受注者選定部１５０と、電子契約締結部１６０と、電子ビジネス処理部１７０と、決済処理部１８０とで構成されている。
【００１２】
前記電子ビジネス定義部１１０は、電子ビジネスに対して定義し、定義された電子ビジネスをタイプ別または分野別に分類し、各電子ビジネスの進行手順を標準化して保存する。電子ビジネスを電子的財貨の一つとして価値化してオンラインを介して取り引きするためには、まず、電子ビジネスに対して定義し、定義された各電子ビジネスの進行手順を標準化してデータベースに保存する必要がある。本発明による電子ビジネス取引システム１００は、前記電子ビジネス定義部１１０により管理者から電子ビジネスの定義を受けるための使用者インタフェースＵＩを提供し、これを通じて電子ビジネスを定義し、定義された電子ビジネスをタイプ別または分野別に分類し、各電子ビジネスの進行手順を規定化及び規格化してデータベースに保存することによって標準化する。例えば、前記使用者インタフェースＵＩにより定義される電子ビジネスがアカウントビジネスである場合、アカウントビジネスが電子ビジネス項目と定義されると、これに必要な進行手順を規定する。この電子ビジネスの定義及び進行手順の標準化は、管理者による選択事項であり、管理者がどのように定義するかによって多様になるので、具体的な説明は省略する。
【００１３】
前記発注情報入力部１２０は、前記電子ビジネス定義部１１０により定義された電子ビジネスのリストを提供し、発注者の端末装置２００から選択された電子ビジネスに対する発注情報を該当発注者の端末装置２００に要請して入力する。本発明による電子ビジネス取引システム１００は、電子ビジネス発注を希望する発注者の端末装置２００からの要請に従って、前記発注情報入力部１２０を通じて前記電子ビジネス定義部１１０により定義されてデータベースに保存された電子ビジネスのリストを発注者の端末装置２００に提供して発注者が閲覧できるようにし、これを閲覧した発注者が発注を希望する電子ビジネスを選択すると、選択された電子ビジネスに対する発注情報入力のための使用者インタフェースＵＩを提供し、これを利用して選択された電子ビジネスに対する発注情報が入力される。図２は、前記発注情報入力部１２０により提供される発注情報入力のための使用者インタフェースＵＩの一例を示す図である。図示するように、発注番号と一緒にシステム的に自動入力される部分と、発注金額と一緒に発注者により手動入力される部分があり、入力項目は各電子ビジネス別に異なる。
【００１４】
前記電子ビジネス入札公告部１３０は、前記発注情報入力部１２０により発注情報が入力された電子ビジネスに対する入札を公告する。前記発注情報入力部１２０により発注情報が入力されると、本発明による電子ビジネス取引システム１００が、前記電子ビジネス入札公告部１３０により入力された発注情報に対する真偽判定を行い、適切である場合は、入力された発注情報を基に電子ビジネスに対する入札公告をし、電子ビジネスの入札を希望する入札者らは、入札者の端末装置３００を介して本発明による電子ビジネス取引システム１００に接続して電子ビジネスに対する入札公告を閲覧することができる。例えば、前記真偽判定は、以下に述べる発注者に対する評価点数により判断することも可能である。図３は、前記電子ビジネス入札公告部１３０により公告される電子ビジネス入札公告画面の一例を示す図である。
【００１５】
前記入札情報入力部１４０は、前記電子ビジネス入札公告部１３０により入札公告された電子ビジネスに対する発注情報を閲覧した入札者の端末装置３００で選択された電子ビジネスに対する入札情報及び電子ビジネス実行グループの構成を該当入札者の端末装置に要請して入力する。前記電子ビジネス入札公告部１３０により電子ビジネスが入札公告されると、電子ビジネスの入札を希望する入札者らが入札者端末装置３００を介して本発明による電子ビジネス取引システム１００に接続して電子ビジネスに対する入札公告を閲覧し、入札を希望する電子ビジネスを選択する。すると本発明による電子ビジネス取引システム１００は、前記入札情報入力部１４０により選択された電子ビジネスに対する入札情報入力及び電子ビジネス実行グループの構成のための使用者インタフェースＵＩを提供し、これを利用して選択された電子ビジネスに対する入札情報入力及び電子ビジネス実行グループを構成するようになる。なお、前記実行グループの構成において、斡旋者から推奨を受けて構成することもできる。
【００１６】
図４は、前記入札情報入力部１４０により提供される入札情報入力のための使用者インタフェースの一例を示す図である。図５は、前記入札情報入力部１４０により提供される電子ビジネス実行グループの構成のための使用者インタフェースの一例を示す図である。
【００１７】
前記受注者選定部１５０は、前記入札情報入力部１４０により入力された入札者らの入札情報及び電子ビジネス実行グループの構成を分析して受注者を選定する。前記入札情報入力部１４０により電子ビジネスに対する入札情報入力及び電子ビジネス実行グループが構成されると、本発明による電子ビジネス取引システム１００は、前記受注者選定部１５０により受注者を選定するが、この場合、入札者らが入力した入札情報を分析した情報と、入札者または入札者らが構成した電子ビジネス実行グループの評価点数などの評価資料に基づいて受注者を選定し、これを公知したり、受注者にｅ−メール、携帯電話メッセージなどを利用して通知する。このような受注者選定アルゴリズムは、どの項目を評価科目にし、どの評価項目に加重値を付与するかによって変わり、この発明の出願前から周知の技術であるので、詳細な説明は省略する。図６は、前記受注者選定部１５０により受注者選定の結果を知らせるための画面の一例を示す図である。
【００１８】
前記電子契約締結部１６０は、前記受注者選定部１５０により選定された受注者と発注者との間に電子契約を締結し、電子契約書を暗号化して保存する。前記受注者選定部１５０により受注者が選定されると、本発明による電子ビジネス取引システム１００は、前記電子契約締結部１６０を通じて図７に示す電子契約書を作成するための使用者インタフェースを発注者または受注者に提供し、発注者または受注者が電子契約書の内容を入力し、入力された電子契約書を相手に提供して、相手から契約確認（公認認証書による認証処理など）が行われると、受注者と発注者との間に電子契約を締結し、図８に示すような電子契約書を生成する。そして、このように生成された電子契約書を暗号化してデータベースに保存することにより、今後の契約不履行、偽造や変造、契約否認などが生じたとき証拠資料として利用する。このために、前記電子契約書を発注者及び受注者の端末装置に送って保管するようにしたり、発注者及び受注者にｅ−メールや、携帯電話メッセージなどを利用して電子契約締結を要請するか、または電子契約締結完了を知らせることもできる。
【００１９】
前記電子ビジネス処理部１７０は、前記電子契約締結部１６０により締結された電子契約に関連する電子ビジネス処理のためのアプリケーション環境を実行グループメンバーの端末装置４００に提供し、これを利用して電子ビジネスを処理するようにする。前記電子契約締結部１６０により電子契約が締結されると、本発明による電子ビジネス取引システム１００は、締結された電子契約に関連する電子ビジネス処理のためのアプリケーション環境、すなわち、該当標準化された電子ビジネスを処理するのに必要なソフトウェアモジュールを実行グループメンバーの端末装置４００に提供する。このとき、前記アプリケーション環境は、電子ビジネス取引システム１００で実行されるサーバ側ソフトウェアモジュールであってもよく、実行グループメンバーの端末装置４００にダウンロードして実行するクライアント側ソフトウェアモジュールであってもよく、標準ＡＰＩ、共同データベースモデル、各種ソフトウェアツールであってもよい。これにより、実行グループメンバーは、実行グループメンバーの端末装置４００を介して前記アプリケーション環境を利用して電子ビジネスを処理する。
【００２０】
前記決済処理部１８０は、前記電子契約締結部１６０により締結された電子契約に対する決済を行う。前記電子契約締結部１６０により電子契約が締結された場合、発注者は、オンライン口座振込みなどの決済方法を利用して、電子ビジネスを進行する前に支払う前払い、電子ビジネスの完了後に支払う後払い、電子ビジネス進行中に支払う分割払いから選択して、受注者と締結した電子契約に対する決済を行う。発注者の決済要請に従って、本発明による電子ビジネス取引システム１００は、前記決済処理部１８０によりオンライン口座振込みなどの決済用インタフェースを発注者の端末装置２００に提供し、これを利用して発注者は締結された電子契約に対する金額を決済するようになる。
【００２１】
ここで、前記決済処理部１８０が発注者から決済された金額を受注者の仮想口座で受領し、この受領した金額を前記入札情報入力部により構成された実行グループの各メンバーの実際口座に分配して振り込むことができる。好ましくは、前記決済処理部１８０が実行グループメンバーの各々に対して設定された持分比率によって差等分配して実行グループメンバーの実際口座に振り込むことである。この過程で前記決済処理部１８０が電子ビジネス取引サービスに対する手数料として一部を差し引いて振り込むこともできる。前記仮想口座は、前記電子契約締結部１６０により締結された電子契約別に生成してもよく、電子契約締結時に生成するのではなく、受注者の会員加入時に生成してもよい。
【００２２】
一方、本発明における電子ビジネスの定義及び電子ビジネスの実行のためのアプリケーション環境構築は、論理モデル構築過程（ユーズケースモデルの生成、クラスの定義）、プロトタイピング過程（プロトタイプの構築及び検証）、詳細設計過程（データベース設計、クラス設計、物理的パッケージング）、コーディング及びテスト過程（プログラムコーディング及びテスト）により構築され、このようなデータ定義及びアプリケーション環境構築は、データベース用プログラム開発の一般的な過程であり、開発プログラムによって多様になるので、詳細な説明は省略する。
【００２３】
上記のように、本発明による電子ビジネス取引システム１００は、前記電子ビジネス定義部１１０により電子ビジネスに対する定義を行い、定義された各電子ビジネス別に進行手順を標準化し、発注情報入力部１２０により発注者が選択した電子ビジネスに対する発注情報を入力して、電子ビジネス入札公告部１３０により電子ビジネスに対する入札公告をし、入札情報入力部１４０により入札者から電子ビジネスに対する入札情報入力及び電子ビジネス実行グループの構成を受けて、これを受注者選定部１５０で分析して受注者を選定し、電子契約締結部１６０により選定された受注者と発注者との間に電子契約を締結し、電子ビジネス処理部１７０により締結された電子契約に関連する電子ビジネス処理のためのアプリケーション環境を実行グループメンバーの端末装置に提供し、これを利用して電子ビジネスを処理し、決済処理部１８０により電子契約に対する決済を処理することにより、標準化された電子ビジネスをオンラインで取り引きすることができる。さらに、実行グループの構成により電子契約された電子ビジネスの進行をオンライン上で分散させて処理できるので、労働を電子的財貨の一つとして価値化して取り引きすることが可能になる。
【００２４】
一方、本発明のまた他の態様によれば、本発明による電子ビジネス取引システム１００は、相互評価部１９０をさらに有することができる。前記相互評価部１９０は、進行完了した電子ビジネスの発注者、受注者及び実行グループメンバーの各々に対する相互評価を行い、相互評価の結果を該当発注者、受注者及び実行グループメンバーの各々の評価点数に反映する。すなわち、この実施例は、電子ビジネスの進行が完了した場合、発注者が受注者及び実行グループメンバーの各々のビジネス実行能力や信用などを評価し、受注者及び実行グループメンバーが発注者の信用などを評価して、今後入札者の入札時に、または実行グループの構成及び参加時に評価点数を参照できるようにすることで、信頼性のあるサービスを提供するための構成であり、本発明による電子ビジネス取引システム１００が相互評価部１９０により進行完了した電子ビジネス参加者ら（発注者、受注者、実行グループメンバー、斡旋者）の端末装置に相手評価に必要な質疑及び応答のための使用者インタフェースを提供し、これを利用して入力された質疑及び応答データから電子ビジネス参加者らを評価して評価点数を算出し、これをデータベースに反映する。この場合、質疑項目別に加重値を付与することもでき、質疑及び応答データを利用して評価点数を算出する技術は、この発明の出願前から周知の技術であるので、詳細な説明は省略する。
【００２５】
また、本発明の他の態様によれば、本発明による電子ビジネス取引システム１００は、結果データ受信部１９２と、結果データ検査部１９４をさらに有することができる。前記結果データ受信部１９２は、受注者の端末装置または実行グループメンバーの端末装置４００から最終の電子ビジネス結果データを受信する。前記結果データ検査部１９４は、前記結果データ受信部１９２により受信された最終的な電子ビジネスの結果データを検査する。すなわち、この実施例は、実行グループメンバーにより処理された電子ビジネスが正しく処理されたか否かを検査し、問題があれば修正を要請し、問題がなければ電子ビジネスの完了確認をするための構成であり、実行グループメンバーにより処理された電子ビジネスに対する最終的な電子ビジネスの結果データが受注者の端末装置または実行グループメンバーの端末装置４００から伝送されると、本発明による電子ビジネス取引システム１００の結果データ受信部１９２がそれを受信し、結果データ検査部１９４により検査を行う。前記データ検査に関しては、様々なアルゴリズムが存在し、この発明の出願前から周知の技術であるので、詳細な説明は省略する。
【００２６】
また、本発明の他の態様によれば、本発明による電子ビジネス取引システム１００は、電子ビジネス進行報告部１９６をさらに有することができる。前記電子ビジネス進行報告部１９６は、電子ビジネスを発注した発注者の端末装置に電子ビジネス進行状況を報告する。すなわち、この実施例は、発注者が周期的または非周期的に電子ビジネス進行状況が分かるようにした構成であり、実行グループメンバーにより処理される電子ビジネスの進行状況を電子ビジネスの受注者または実行グループメンバーが、本発明による電子ビジネス取引システム１００の電子ビジネス進行報告部１９６により周期的または非周期的に発注者に報告できるようにすることで、発注者が電子ビジネスの進行状況が分かるようにする。
【００２７】
また、本発明の他の態様によれば、本発明による電子ビジネス取引システム１００は、会員管理部１９８と、会員認証部１９９をさらに有することができる。前記会員管理部１９８は、会員情報を入力するための使用者インタフェースＵＩを提供し、これを利用して会員情報を入力して会員登録を行い、会員情報をデータベースに保存する。前記会員認証部１９９は、前記データベースに保存された会員情報を参照して電子ビジネス取引に参加する発注者、受注者及び実行グループメンバーに対する会員認証を行う。このとき、本発明による電子ビジネス取引サービスを利用しようとする者は、発注者、受注者、実行グループメンバーの少なくともいずれか一つの会員として登録可能であり、登録会員の中から資格審査を行って実行グループメンバーを推薦する斡旋者としての資格を取得できるように構成することもできる。すなわち、この実施例は、電子ビジネス取引サービスを会員制サービスとするための構成であり、前記会員登録及び会員認証技術は、この発明の出願前から周知の技術であるので、詳細な説明は省略する。
【００２８】
上記構成を有する本発明による電子ビジネス取引システム１００の電子ビジネス取引動作を図９を参照して説明する。図９は、本発明による電子ビジネス取引システムの電子ビジネス取引時のフローチャートである。まず、ステップＳ１１０において、本発明による電子ビジネス取引システム１００は、電子ビジネス定義部１１０により電子ビジネスに対して定義し、定義された電子ビジネスをタイプ別または分野別に分類して各電子ビジネス別の進行手順を標準化して保存する。その後、ステップＳ１２０において、本発明による電子ビジネス取引システム１００は、前記ステップＳ１１０で定義された電子ビジネスのリストを提供し、電子ビジネスの発注を希望する発注者が選択した電子ビジネスに対する発注情報を発注情報入力部１２０により入力する。
【００２９】
前記ステップＳ１２０により発注者から発注情報が入力されると、本発明による電子ビジネス取引システム１００は、ステップＳ１３０で電子ビジネス入札公告部１３０により電子ビジネスに対する入札公告をする。このようにして、この入札公告を入札者らが閲覧し、入札者が入札を希望する電子ビジネスを選択すると、本発明による電子ビジネス取引システム１００はステップＳ１４０において、入札情報入力部１４０により入札者から電子ビジネスに対する入札情報入力及び電子ビジネス実行グループの構成を受ける。その後、本発明による電子ビジネス取引システム１００は、ステップＳ１５０において受注者選定部１５０により入札者が入力した入札情報及び電子ビジネス実行グループの構成情報を分析して受注者を選定する。
【００３０】
前記ステップＳ１５０において受注者が選定されると、本発明による電子ビジネス取引システム１００は、ステップＳ１６０において電子契約締結部１６０により選定された受注者と発注者との間に電子契約を締結し、ステップＳ１７０で締結された電子契約に関連する電子ビジネス処理のためのアプリケーション環境を実行グループメンバーの端末装置に提供して、実行グループメンバーが電子ビジネスを処理できるようにし、ステップＳ１８０において、決済処理部１８０により電子契約に対する決済を行うことによって標準化された電子ビジネスをオンライン上で取り引きすることができる。このように、実行グループの構成により電子契約された電子ビジネスの進行をオンライン上で分散させて処理できるようにし、労働を電子的財貨の一つとして価値化して取り引き可能にすることで、本発明の目的を達成したものである。
【００３１】
なお、添付図を参照して好適な実施例について説明したが、本発明の技術的範囲から逸脱しない範囲内で多様に変更実施することが可能である。
【産業上の利用可能性】
【００３２】
本発明は、発注者と受注者との間の電子ビジネスをオンライン上で取引する技術分野で利用可能である。
【図１】
2010504587.tif 000003
【図２】
2010504587.tif 000004
【図３】
2010504587.tif 000005
【図４】
2010504587.tif 000006
【図５】
2010504587.tif 000007
【図６】
2010504587.tif 000008
【図７】
2010504587.tif 000009
【図８】
2010504587.tif 000010
【図９】
2010504587.tif 000011
【国際調査報告】
2010504587.tif 000012
2010504587.tif 000013